(57)【要約】【目的】磁石の回転運動により、擬似生物構造体が水中で規則正しい動きと予測のつかない１／ｆゆらぎの動きをするムーブメントトイを得る【構成】モーターを備えた磁石回転駆動部、１つ以上の磁石を装着し、フレキシブルな構造の擬似生物構造体及び水および粒子をいれる容器から構成される。【選択図】            図１
2006116280.tif 000002
【特許請求の範囲】
【請求項１】
非磁性容器の外部底面で回転する磁石により該容器の水中で１つ以上の磁石小片を装着したフレキシブルな擬似生物構造体が規則正しい動きとともに、予測のつかない不規則な１／ｆ（エフブンノイチ）ゆらぎの動きをすることを特徴としたムーブメントトイ。
【請求項２】
該非磁性容器の外部底面で回転する磁石の回転数が１分間に３０〜３００回転であることを特徴とする請求項１のムーブメントトイ。
【請求項３】
該容器の中に１ｍｍ〜２０ｍｍの粒状固体が入れられた請求項１のムーブメントトイ。
【請求項４】
該擬似生物構造体の胴体に４本以上の針金または樹脂の脚および角または羽が装着され、水底を蹴りながら舞うことを特徴とする請求項１のムーブメントトイ。
【請求項５】
該擬似生物構造体が浮き素材と布地または薄い柔軟樹脂とそれよりも硬い骨素材の組み合わせで形成され、水中で水平または垂直に浮遊して舞うことを特徴とする請求項１のムーブメントトイ。
【請求項６】
該擬似生物構造体が本体と接続した容易に動く手、足または首、胴に関節部を有し、水中で踊るように動くことを特徴とする請求項１のムーブメントトイ。
【発明の詳細な説明】
【発明の詳細な説明】
【産業上の利用分野】
【０００１】  本発明は擬似生物構造体が水中で容器外底部の磁石の回転により、規則正しい動きとともに予測のつかない１／ｆゆらぎの動きを演出するムーブメントトイに関する。
【背景技術】
【０００２】  従来、磁石の動きによって水中で動く動物の形をした玩具はすでに考案されている。例えば、遊泳動物（実案公開Ｈ１−８７８００）、熱帯魚（実案公開Ｈ２−８４６９８）、遊泳体泳動装置（実案公開Ｈ４−１８５９１）、水槽玩具（実案登録第３００８３４３）、遊泳玩具装置（特開Ｈ６−３４３７６８）などがある。【０００３】  しかし、これらは玩具を動かす基本的な原理が磁石の回転などの動きを利用することは同様であるが、それによって動く玩具の動きはいずれも単純であり実際の生物のようなファジーな１／ｆゆらぎの動きにはなっていないのが現状である。
【発明が解決しようとする課題】
【０００４】  本発明は擬似生物構造体が水中で容器の外底面の磁石の回転により、規則正しい動きとともに、予測がつかない生きている生物に近い動き、すなわち１／ｆゆらぎの動きをするムーブメントトイを提供することを目的としている。１／ｆゆらぎは不規則さと規則正しい動きが調和している状態の動きを特徴とし、ろうそくの炎やそよ風、小川のせせらぎなど自然の中にも多く見られる動きの現象である。生物の心拍などにも同様な動きがあり、人がこの動きに接すると気持ちがよくなりいわゆる安らぐことができる。
【課題を解決するための手段】
【０００５】  上記目的を達成するために、本発明のムーブメントトイは、磁石回転駆動部（１）、容器（２）、擬似生物構造体（３）によって構成される。
【０００６】  磁石回転駆動部（１）にはモーター（４）、モーター回転軸（５）の上端に底面磁石（６）が水平に回転するように配置される。水平に回転する磁石は左がＮ極、右がＳ極というように回転軸を中心にＳ極とＮ極を左右一定の間隔になるように配置する。棒磁石を極が異なるようにして左右に２個の同じ磁石を用いてもよい。
【０００７】  磁石の回転数によって擬似生物構造体の動きが異なってくる。回転が遅すぎても、速すぎても１／ｆゆらぎをする本物の生物の動きとはかけ離れてしまう。適切な回転数は請求項２に示したように１分間に３０〜３００回転である。
動き方を調整できるようにモーターの回転速度調整器を設けることが好ましい。
【０００８】  磁石の磁力強度は擬似生物構造体に装着される小磁石の磁力強度との相関で決めればよい。強すぎても、弱すぎてもスムースな１／ｆゆらぎの動きにはならない。
【０００９】  左右のＮ極とＳ極の間隔および磁力の強さは用いる容器の大きさとの関係によって決定すればよい。狭い間隔で回転する磁石に大きな容器を組み合わせた場合、中心部だけの動きに限定されてしまう。
【００１０】  擬似生物構造体が動く場となる容器の材質は非磁性体のものが用いられ、全体もしくは一部が透明であることが好ましい。ガラス、樹脂、非磁性金属のアルミニウム、ステンレス、銅、各種合金などとの組み合わせが使用できる。
容器の底面積および高さは磁石回転駆動部および擬似生物構造体との磁石強度およびそれぞれの構造によって設定すればよい。形状は角状、円筒、ドーム状などが用いることができ特に限定されない。
【００１１】  容器に入れる液体は水が好ましいが、水に限定しなくても例えば、アルコールや他の有機溶媒または水との混合物も使用することができる。
【００１２】  本発明の請求項３に示したように容器の中に１ｍｍ〜２０ｍｍの粒状固体（７）を入れることによって、容器の中で動く擬似生物構造体の一部がそれにぶつかりより予測のつかない動きをよりよく演出することができる。
粒子の大きさは均一でないほうが好ましく、その量は容器の底面積の４０〜２００％（２層）に散らばるようにするのが好ましい。
【００１３】  粒状固体の形状は球体、または滑りやすい形状が好ましい。材質は液体に沈む比重のものであればよいが、軽すぎては動きの演出効果が劣る。好ましい比重は１．５以上である。
【００１４】  擬似生物構造体（３）は磁石回転駆動部（１）と容器（２）の設定に基づいて、素材の組み合わせ、磁石の数と設置位置、形状などにより様々な生物の動きに似た動きを作り出すことが可能である。
【００１５】  これらの詳しい設計は実施例で述べるが、擬似生物構造体の基本的な構造として第一に磁石が１つ以上装着されていること。磁石の形状は棒状、球状、板状などが使用できる。大きさは限定されるものではない。
【００１６】  第二に該擬似生物構造体はフレキシブルすなわち可動部を有すること。従ってその素材として容易に反る樹脂板、ゴム板、金属板、布などを組み合わせることができる。硬い素材でも手足首胴の関節などを自由に動くようにすることも１つの方法である。
【００１７】  第三に該擬似生物構造体全体の比重を容器中の液体の比重よりわずかに大きくすること。水の場合１．０１〜１．２０が好ましい。重すぎても軽すぎても動きが劣る。
【作用】
【００１８】  本発明によるさまざまな生物に模した擬似生物構造体を磁石回転駆動部の上に置いた水容器に入れて磁石を回転することにより、擬似生物構造体が生きている生物のような１／ｆゆらぎの動きをする。
【発明の効果】
【００１９】  請求項４記載の擬似生物構造体はボディ本体に棒磁石を用い針金によって複数の脚と角または羽根を形成することにより、磁石回転駆動部の磁石の回転により水底に脚が着くと飛び上がり水中で舞う昆虫の似た１／ｆゆらぎの動きをさせることができる。その動きを眺めることによって安らぎを得ることができる。
【００２０】  請求項５記載の擬似生物構造体は浮き素材と布地または薄い柔軟樹脂とやや硬い骨状形態物とを組み合わせ、両端に磁石を装着し形成されたもので、水中で水平または垂直にひらひらとくらげやエイのように浮遊して舞う動きをさせることができる。
【００２１】  請求項６記載の擬似生物構造体は手、足もしくは首、胴の本体接続部が関節状に自由に動くように形成したもので、脚や手に磁石を装着することによって、動物がリズミカルに踊るような動きをすることができる。
【実施例】
【００２２】  本発明を図に基づいて説明する。
図１に本発明のムーブメントトイの全容を示した。磁石回転駆動部（１）に水を入れた容器（２）を乗せ、容器のなかに擬似生物構造体（３）を浮遊させる。【００２３】  磁石回転駆動部（１）の内部にはモーター（４）およびモーター回転軸（５）に直径８０ｍｍの円形の底面磁石（７）を固定し回転させる。円形の磁石は溝により半円で左右に分かれ左右がＳ極Ｎ極になっている。磁石の強さは１，５００ガウスである。回転速度は１分間当たり３０〜３００回転に調節できるように電圧調節器（８）を設けている。【００２４】  磁石回転駆動部（１）の天板上にアクリル製の縦横１５０ｍｍ、高さ１００ｍｍの容器（２）を乗せ水を９割ほど入れる。容器の底には３ｍｍと５ｍｍのガラスビーズ（７）を混合して全面に敷き詰める。【００２５】    容器（２）の中に浮遊させる擬似生物構造体の実施例を以下図２〜図５に示す。図２の擬似生物構造体は昆虫を模したものである。ボデーは丸棒磁石（９）で形成されており、ボデーに針金製の６本の脚（１０）と触覚を装着している。羽（１１）によって沈み抵抗をつけるにする。全体として浮き素材を組み合わせてわずかに底面に付くように比重を調節する。これを該容器（２）にいれて磁石回転駆動部（１）の底面磁石を１分間当たり１５０回転で回転させると水底をけりながら水中を舞い、時々頭部で水底を突きながらあたかも昆虫が空を飛ぶような１／ｆゆらぎ動作をする。回転速度を変えると動きの速度が変化する。【００２６】  図３の擬似生物構造体は海のエイを模したもので楕円形の布製のボデー（１２）の中央に厚み０．５ｍｍのＰＰ樹脂製の背骨（１３）を固定し頭部及び尾部にひれ（１４）をつけその中央に浮き（１５）と球形の磁石（１６）を固定させている。水の中に入れたときにゆっくり沈む程度に浮きの大きさを調節する。これを該容器（２）にいれて磁石回転駆動部（１）の磁石を１分間当たり１２０回転で回転させると水中でエイのようにひらひらと泳ぎながら、ときどき餌を食べるように頭を底につつく１／ｆゆらぎ動作をする。回転速度を変えると動きの速度が変化する。【００２７】  図４の擬似生物構造体は人を模したものでマント（１７）は布で形成され脚部はＰＰ樹脂板を装着し中央に球状磁石１個を装着する。頭部は浮き素材で形成させ球形磁石２個を装着する。水の中に入れたときに脚が底面に着いて垂直に浮くように浮きのバランスをとる。これを該容器（２）にいれて磁石回転駆動部（１）の磁石を１分間当たり１００回転で回転させると水中で腰をひねりながら踊るような１／ｆゆらぎ動作をする。回転速度を変えると動きの速度が変化する。【００２８】    図５の擬似生物構造体は動物の人形の手足首の関節が自由に動くようにしているものである。頭部には浮き素材を装着して人形が底面について垂直に立つように調節する。足の裏及び手の甲裏に球形磁石を１個づつ装着する。これを該容器（２）にいれて磁石回転駆動部（１）の磁石を１分間当たり２００回転で回転させると水中で脚と手を前後に動かしながら踊るような１／ｆゆらぎ動作をする。回転速度を変えると動きの速度が変化する。
【図面の簡単な説明】
【図１】本発明のムーブメントトイの全体図
【図２】本発明の昆虫を模した擬似生物構造体
【図３】本発明のエイを模した擬似生物構造体
【図４】本発明の人（ダンサー）を模した擬似生物構造体
【図５】本発明の動物（マウス）人形を模した擬似生物構造体
【符号の説明】
１．磁石回転駆動部          １１．羽
２．容器                    １２．布製ボデー
３．擬似生物構造体          １３．背骨
４．モーター                １４．ヒレ
５．モーター回転軸          １５．浮き
６．底面磁石                １６．球形磁石
７．粒状固体                １７．マント
８．電圧調節器
９．棒磁石
１０．針金製脚
【図１】
2006116280.tif 000003
【図２】
2006116280.tif 000004
【図３】
2006116280.tif 000005
【図４】
2006116280.tif 000006
【図５】
2006116280.tif 000007